(57)【要約】【課題】画像形成される複数の画像から再読込みが必要な画像が容易に割り出せて、画像形成の順序を変更することなく画像形成前に当該割り出した画像の再読込みが容易且つ迅速に行えるようにすることである。【解決手段】表示手段１１２に表示中のサムネイルに対しノイズ画像が含まれている等の理由により当該サムネイルに対応する画像データの再読み込みを行う旨の指示入力があると、枠消し、倍率調整、濃度調整等の新たな設定に基づいて画像データの再読み込みを行う。この場合、当該再読み込み前の元の画像データを、当該再読み込み後の新たな画像データに更新すると共に、当該再読み込み後の新たな画像データのプリント順序を、当該再読み込み前の元の画像データに割り当てられたプリント順序とする。【選択図】          図１
2005026849.tif 000002
【特許請求の範囲】
【請求項１】
画像を読み込む画像読込手段と、該読み込まれた画像を表示する表示手段とを備え、前記読み込まれた画像に対し画像形成を行う画像形成装置において、
前記読み込まれた画像のサムネイルを作成し、入力される切替指示に応じて前記サムネイルを順次切り替えながら前記表示手段に表示させ、該表示手段に表示中のサムネイルに対し再読み込みを行う旨の指示入力が行われると、当該サムネイルに対応する元の画像を、当該指示入力に応じて再読み込みされる画像に更新し、該表示手段に表示中のサムネイルを更新するよう制御する制御手段を備えたことを特徴とする画像形成装置。
【請求項２】
前記制御手段は、前記読み込まれた各画像に対し画像形成が行われる順序を割り当て、前記表示手段に表示中のサムネイルに対し再読み込みを行う旨の指示入力が行われると、当該サムネイルに対応する元の画像を、当該画像に割り当てられた前記画像形成順序を保持したまま、当該指示入力に応じて再読み込みされる画像に更新し、該表示手段に表示中のサムネイルを更新するよう制御することを特徴とする請求項１に記載の画像形成装置。
【請求項３】
請求項１又は２に記載の画像形成装置と端末ＰＣとがネットワークを介して通信可能に接続されて成る画像形成システムであって、
前記端末ＰＣは、前記画像形成装置から取得されるサムネイルを表示する端末表示手段と、該端末表示手段に表示中のサムネイルに対し再読み込みを行う旨の指示入力が行われると、当該指示入力と当該表示中のサムネイルを特定するための識別情報とを前記画像形成装置に送信するよう制御する端末制御手段とを備え、
前記画像形成が備える制御手段は、前記端末ＰＣから前記指示入力及び識別情報が受信されると、当該識別情報により特定されるサムネイルに対応する元の画像を、当該指示入力に応じて再読み込みされる画像に更新し、該表示手段に表示中のサムネイルを更新するよう制御することを特徴とする画像形成システム。
【請求項４】
前記制御手段は、前記端末ＰＣから前記指示入力及び識別情報が受信されると、当該識別情報により特定されるサムネイルに対応する元の画像を、当該画像に割り当てられた前記画像形成順序を保持したまま、当該指示入力に応じて再読み込みされる画像に更新し、該表示手段に表示中のサムネイルを更新するよう制御することを特徴とする請求項３に記載の画像形成システム。
【発明の詳細な説明】
【０００１】
【発明の属する技術分野】
本発明は、プリント等による画像形成を行う画像形成装置及び画像形成システムに関する。
【０００２】
【従来の技術】
近時、原稿から画像を読み取った後、当該読み取った画像のサムネイを表示して画像形成（以下、プリントという。）する順序やプリントする画像の選択等が容易に設定できる画像形成装置が提案されている（特許文献１参照。）。
【０００３】
【特許文献１】
特開平１１−２５２３２６号公報
【０００４】
【発明が解決しようとする課題】
上記従来の技術は、複数ページ分の画像を、書物等の複数の原稿から一度に順次読み取ってプリントする際、当該複数画像のサムネイル表示を用いてプリント内容を確認することは可能である。しかし、このような確認作業により、例えば、ゴミ等が原稿に付着していたため、再度、読み込みをし直す等の修正が必要な画像が含まれていると判明された場合には、例えば、修正の必要がない画像だけをプリントし、修正が必要な画像に対しては個別に修正を行った後にプリントすることも可能であるが、修正作業が煩雑になると共に修正作業に要する時間は長くなり、不便である。更に、プリント順序等が変更されてしまうので、プリント後にプリント結果（プリントされた画像）の並べ替えを行わなければならない等の種々の不都合が生じ得る。
【０００５】
本発明の課題は、画像形成される複数の画像から再読込みが必要な画像が容易に割り出せて、画像形成の順序を変更することなく画像形成前に当該割り出した画像の再読込みが容易且つ迅速に行えるようにすることである。
【０００６】
【課題を解決するための手段】
上記課題を解決するため、請求項１に記載の発明は、
画像を読み込む画像読込手段と、該読み込まれた画像を表示する表示手段とを備え、前記読み込まれた画像に対し画像形成を行う画像形成装置において、
前記読み込まれた画像のサムネイルを作成し、入力される切替指示に応じて前記サムネイルを順次切り替えながら前記表示手段に表示させ、該表示手段に表示中のサムネイルに対し再読み込みを行う旨の指示入力が行われると、当該サムネイルに対応する元の画像を、当該指示入力に応じて再読み込みされる画像に更新し、該表示手段に表示中のサムネイルを更新するよう制御する制御手段を備えたことを特徴とする。
【０００７】
更に、請求項２に記載の発明のように、請求項１に記載の発明において、
前記制御手段は、前記読み込まれた各画像に対し画像形成が行われる順序を割り当て、前記表示手段に表示中のサムネイルに対し再読み込みを行う旨の指示入力が行われると、当該サムネイルに対応する元の画像を、当該画像に割り当てられた前記画像形成順序を保持したまま、当該指示入力に応じて再読み込みされる画像に更新し、該表示手段に表示中のサムネイルを更新するよう制御するのが好ましい。
【０００８】
また、上記課題を解決するため、請求項３に記載の発明は、
請求項１又は２に記載の画像形成装置と端末ＰＣとがネットワークを介して通信可能に接続されて成る画像形成システムであって、
前記端末ＰＣは、前記画像形成装置から取得されるサムネイルを表示する端末表示手段と、該端末表示手段に表示中のサムネイルに対し再読み込みを行う旨の指示入力が行われると、当該指示入力と当該表示中のサムネイルを特定するための識別情報とを前記画像形成装置に送信するよう制御する端末制御手段とを備え、
前記画像形成が備える制御手段は、前記端末ＰＣから前記指示入力及び識別情報が受信されると、当該識別情報により特定されるサムネイルに対応する元の画像を、当該指示入力に応じて再読み込みされる画像に更新し、該表示手段に表示中のサムネイルを更新するよう制御することを特徴とする。
【０００９】
更に、請求項４に記載の発明のように、請求項３に記載の発明において、
前記制御手段は、前記端末ＰＣから前記指示入力及び識別情報が受信されると、当該識別情報により特定されるサムネイルに対応する元の画像を、当該画像に割り当てられた前記画像形成順序を保持したまま、当該指示入力に応じて再読み込みされる画像に更新し、該表示手段に表示中のサムネイルを更新するよう制御するのが好ましい。
【００１０】
従って、ユーザは、表示手段に表示されるサムネイルを参照することにより、画像形成前に、読み込んだ複数の画像の内容を確認できると共に、修正が必要な画像がある場合には新たな設定に基づいて画像を再読み込みできるので、容易且つ迅速に画像の修正が行えて便利である。
また、修正の際に画像が再読み込みされても、再読み込み前の画像形成順序がそのまま保持されて用いられるので、画像形成後に画像の順序を改めて変える必要がなく便利である。
また、画像形成装置にネットワーク接続された端末ＰＣを用いてサムネイルの表示と再読み込みの指示とが行えるので便利である。例えば、端末ＰＣの端末表示手段の表示画面が画像形成装置の表示手段の表示画面に比べて大きい場合、サムネイルを高解像度で表示できたり、また、サムネイルではなく、元の画像を高解像度で表示できるので、画像内容が詳細に確認できるので、再読み込みが必要な画像か否かがより正確に判定可能となる。
すなわち、画像形成される複数の画像から再読込みが必要な画像が容易に割り出せて、画像形成の順序を変更することなく画像形成前に当該割り出した画像の再読込みが容易且つ迅速に行える。
【００１１】
【発明の実施の形態】
図面を参照して本発明を適用した画像形成システム１００について詳細に説明する。
図１に示すように、画像形成システム１００は、画像をプリントする複写機等の画像形成装置１０と、画像形成装置１０を操作可能な端末ＰＣ（Ｐｅｒｓｏｎａｌ  Ｃｏｍｐｕｔｅｒ）２０とがＬＡＮ１を介して通信可能に接続されて構成される。
【００１２】
画像形成装置１０は、操作部１１、スキャナー部１２、プリンタ部１３、画像データ制御部１４、画像データ処理部１５等を備えて構成される。
【００１３】
操作部１１は、入力手段１１１や表示手段１１２を備える。入力手段１１１は、各種機能キーやタッチパネル等のポインティングデバイスを備え（何れも図示略。）、各種指示入力（例えば、枠消し、倍率調整、濃度調整、サムネイル表示等の設定指示）を制御手段１４１に送信する。表示手段１１２は、ＬＣＤ（Ｌｉｑｕｉｄ  Ｃｒｙｓｔａｌ  Ｄｉｐｌａｙ）等の表示装置を備え（図示略。）、制御手段１４１から送信された各種画像を表示する。また、上記表示装置の表示面にはタッチパネルが貼付され、このタッチパネルによる入力に対応した表示画像を表示する（例えば、入力ボタンを表示する等。）。
【００１４】
スキャナー部１２は、ＣＣＤ（Ｃｈａｒｇｅ  Ｃｏｕｐｌｅｄ  Ｄｅｖｉｃｅ）等（図示略。）の画像読込手段１２ａを備え、画像読込手段１２ａは、制御手段１４１の指示に応じて原稿から画像を読み込み、当該読み込んだ画像を表す画像信号（アナログ信号）を画像信号入力処理部１４４に送信する。
【００１５】
プリンタ部１３は、制御手段１４１の指示に応じて画像データ出力処理部１４５から送信された画像データをプリント処理する。
【００１６】
画像データ制御部１４は、制御手段１４１、不揮発メモリ１４２、画像格納メモリ１４３、画像信号入力処理部１４４、画像データ出力処理部１４５等を備えて構成される。
【００１７】
制御手段１４１は、操作部１１から送信された各種指示入力に応じて、操作部１１から不揮発メモリ１４２に格納されている各種プログラムを実行して画像形成装置１０を統括的に制御する。
【００１８】
制御手段１４１は、特に、図２のフローチャートに示す画像形成処理を行うための画像形成プログラムを不揮発メモリ１４２から読み出して実行する。
【００１９】
制御手段１４１は、画像信号入力処理部１４４から送信された画像データを画像格納メモリ１４３に格納すると共に、操作部１１から送信される指示入力に応じて画像格納メモリ１４３に格納された画像データを読み出して画像データ処理部１５に送信し画像処理を施す。更に、制御手段１４１は、画像データ処理部１５において画像処理された画像データを画像格納メモリ１４３に送信して格納されている画像データの更新を行う。
【００２０】
制御手段１４１は、各種画像（操作部１１に送信する画像と同じ。）を表す情報をＬＡＮ１を介して端末ＰＣ２０に送信すると共に、端末ＰＣ２０からＬＡＮ１を介して送信される各種指示入力（操作部１１から送信される各種指示入力と同じ。）に応じて各種制御を行う。
【００２１】
不揮発メモリ１４２は、制御手段１４１により実行される上記各種プログラムや各種データを格納する。不揮発メモリ１４２は、特に、図２のフローチャートに示す画像形成処理を行うための画像形成プログラムを格納する。
【００２２】
画像格納メモリ１４３は、画像信号入力処理部１４４から送信される画像データ（スキャナー部１２により読み込まれた画像。）か、或いはＬＡＮ１を介して取得される画像データを格納する。
【００２３】
画像信号入力処理部１４４は、スキャナー部１２から送信された画像信号をデジタル形式の画像データに変換し、当該画像データを制御手段１４１に送信する。更に、画像信号入力処理部１４４は、制御手段１４１から送信された指示（すなわち、操作部１１から入力された指示。）に応じて、枠消し、倍率調整、濃度調整等を施して画像データへの変換を行う。
【００２４】
画像データ出力処理部１４５は、制御手段１４１によって画像格納メモリ１４３から読み出された画像データをプリンタ出力用のデータに変換してプリンタ部１３に送信する。
【００２５】
画像データ処理部１５は、制御手段１４１から送信される画像データを、制御手段１４１から送信される指示に基づいて画像処理する。
【００２６】
また、画像形成装置１０は、ＬＡＮ１を介して端末ＰＣ２０と通信を行うためのインターフェースを備える。
【００２７】
端末ＰＣ２０は、ＬＡＮ１を介して画像形成装置１０と通信可能に接続され、画像形成装置１０から受信した操作部１１に表示される各種画像と同一画像を表示する端末表示手段２０ａと、操作部１１を用いて行われる各種指示入力と同一の指示入力が行われると当該指示入力を画像形成装置１０に送信するよう制御する端末制御手段２０ｂとを備える。これにより、ユーザは、操作部１１を用いて入力される画像形成装置１０に対する各種指示入力を、端末ＰＣ２０を用いて行うことが可能となる。
【００２８】
次に、動作を説明する。図２に画像形成処理を説明するフローチャートを示す。以下に説明する画像形成処理は、制御手段１４１により画像形成プログラムが実行されることにより行われる。
【００２９】
まず、複数の画像データを、スキャナー部１２を介して一度に順次取り込むか、或いは、ＬＡＮ１を介して端末ＰＣ２０等の外部機器から同様に取り込む。
【００３０】
そして、上記取り込んだ複数の画像データに画像形成を行う順序（以下、プリント順という。）を割り当て（各画像データのファイル名毎に割り当てられ）、当該プリント順を表すプリント順データを当該複数の画像データと共に画像格納メモリ１４３に格納する。この場合、例えば、画像データの取り込み順をプリント順にデフォルトで割り当てるようにするが、入力手段１１１を介して入力された指示に応じてプリント順を変更することは可能である。
【００３１】
そして、操作部１１の入力手段１１１からサムネイル表示指示されている場合（ステップＳ１；Ｙｅｓ）に上記取り込んだ複数の画像データのサムネイルを作成し、当該サムネイルを、該当する画像データに関連付けて画像格納メモリ１４３に格納すると共に表示手段１１２に表示（図３を参照。）する（ステップＳ１０）。
【００３２】
また、上記サムネイルを端末ＰＣ２０に送信する場合、上記プリント順データを、各サムネイルを特定するための識別情報として上記サムネイルと共に端末ＰＣ２０に送信する。端末ＰＣ２０は、この画像形成装置１０から送信されたサムネイルを端末表示手段２０ａに表示する。
【００３３】
ここで、表示手段１１２の表示例１１２０を図３に示す。以下に示す表示例１１２０は、端末ＰＣ２０の端末表示手段２０ａに対しても適用される。
【００３４】
表示例１１２０は、タッチパネルに対応した操作画面であり、表示例１１２０には各種入力ボタン（コピー設定ボタン１１２ａ〜１１２ｄ、サムネイル表示切替ボタン１１２ｇ〜出力指示ボタン１１２ｉ）が表示されている。ユーザは、これら各種入力ボタンを指等でタッチ（表示例１１２０が端末ＰＣ２０の表示画面に表示されている場合には、端末ＰＣ２０に接続されたマウスをクリック）することにより指示入力を行う。
【００３５】
コピー設定ボタン１１２ａは、枠消し、倍率調整、濃度調整等の各種設定を行うための操作画面を表示させる入力ボタンであり、予約ＪＯＢボタン１１２ｂは、プリント処理の予約設定を行うための操作画面を表示させる入力ボタンであり、機器状態確認ボタン１１２ｃは、画像形成装置１０の現在の動作状況を表示させるための画面を表示させる入力ボタンであり、出力確認ボタン１１２ｄは、読み込んだ画像データのサムネイルを表示させて画像データの修正を行うための操作画面を表示させる入力ボタンである。
【００３６】
特に、表示例１１２０には、出力確認ボタン１１２ｄが選択（すなわち、出力確認ボタン１１２ｄが指等でタッチ或いはマウスでクリック）された際の操作画面が表示されている。
【００３７】
この操作画面にはメッセージ欄１１２ｅ、サムネイル表示画面１１２ｆ、サムネイル表示切替ボタン１１２ｇ、修正指示ボタン１１２ｈ及び出力指示ボタン１１２ｉが表示されている。
【００３８】
メッセージ欄１１２ｅには、当該操作画面における操作を案内するための「修正する画像を選んでください。」等のメッセージが表示される。
【００３９】
サムネイル表示画面１１２ｆでは、サムネイル表示切替ボタン１１２ｇが指等でタッチ或いはマウスでクリックされることにより、表示されるサムネイルが切り替わる。サムネイルの表示順序は上記プリント順となっている。
このようにしてサムネイル表示画面１１２ｆに表示されたサムネイルを目視で確認することにより、ユーザが入力手段１１１或いは端末ＰＣ２０を介して設定した枠消し、倍率調整、濃度調整等の設定が適当であるか否か、及び画像にノイズ画像が含まれているか否かが判断できる。
【００４０】
また、修正指示ボタン１１２ｈが指等でタッチ或いはマウスでクリックされると、サムネイル表示画面１１２ｆに現在表示中のサムネイルに該当する画像データに対する画像の再読み込みを開始する旨の指示入力が行われる。
【００４１】
また、全サムネイルがサムネイル表示画面１１２ｆを介してユーザにより確認された後等において、出力指示ボタン１１２ｉが指等でタッチ或いはマウスでクリックされると、サムネイル表示画面１１２ｆに現在表示可能な全サムネイルに該当する全画像データのプリント出力を開始する旨の指示入力が行われる。
【００４２】
再び、図２のフローチャートに戻って説明する。
ステップＳ１０の後、修正指示ボタン１１２ｈが指等でタッチ或いはマウスでクリックされて画像データの再読込指示が入力されたか否かを判定する（ステップＳ１２）。
また、ステップＳ１２では、端末ＰＣ２０から上記再読込指示と当該再読込みの対象となる画像のプリント順（識別情報）とが受信されたか否かも判定する。
【００４３】
ステップＳ１２の段階で、修正指示が入力されていない場合には（ステップＳ１２；Ｎｏ）ステップＳ１６に移行し、また、例えば、サムネイル表示画面１１２ｆに表示されている図中符号Ｋに示すノイズ画像が表示中のサムネイルに含まれているような場合に修正指示が入力されると（ステップＳ１２；Ｙｅｓ）、サムネイル表示画面１１２ｆに現在表示中のサムネイルに該当する画像データに対する画像の再読み込みを開始する（ステップＳ１３）。この場合、コピー設定ボタン１１２ａが指等でタッチ或いはマウスでクリックされた際に表示される操作画面が自動的に表示され、当該再読み取りを行う際の枠消し、倍率調整、濃度調整等の各種設定入力をユーザに促す。このような設定が行われた後、当該設定に基づいて画像の再読み込みが開始される。
【００４４】
ステップＳ１３の後、再読み込み前の元の画像データを、再読み込み後の新たな画像データに更新する（ステップＳ１４）。この場合、当該再読み込み後の新たな画像データのプリント順は、当該再読み込み前の元の画像データに割り当てられたプリント順である。
【００４５】
また、ステップＳ１３の後、ステップＳ１４における画像データの更新を行う処理の前後何れかの時点で、上記再読み込み後の新たな画像データに対応する新たなサムネイルを作成し、上記再読み込み前の画像データに対応するサムネイルを当該新たなサムネイルに更新してサムネイル表示画面１１２ｆに表示する（ステップＳ１５）。これにより、ユーザは、当該再読み込み後の新たな画像データの内容を迅速に確認できる。
【００４６】
ステップＳ１５の後か、或いはステップＳ１２；Ｎｏの分岐の後に、出力指示ボタン１１２ｉが指等でタッチ或いはマウスでクリックされてプリント出力指示が入力されたか否かを判定する（ステップＳ１６）。
【００４７】
ステップＳ１５の段階で、プリント出力指示が入力されない場合には（ステップＳ１６；Ｎｏ）、ステップＳ１２の処理に移行し、全サムネイルがサムネイル表示画面１１２ｆを介してユーザにより確認された後等において、出力指示ボタン１１２ｉが指等でタッチ或いはマウスでクリックされてプリント出力指示が入力されると（ステップＳ１６；Ｙｅｓ）、サムネイル表示画面１１２ｆに現在表示可能な全サムネイルに該当する全画像データのプリント出力を開始する（ステップＳ１７）。
【００４８】
以上説明したように、画像形成装置１０は、読み込んだ複数の画像データにプリント順序を割り当てると共に、当該複数画像データ毎にサムネイルを作成し、当該作成した複数のサムネイルを上記プリント順序に基づいて表示手段１１２に順次表示できる。更に、画像形成装置１０は、表示手段１１２に表示中のサムネイルに対しノイズ画像が含まれている等の理由により当該サムネイルに対応する画像データの再読み込みを行う旨の指示入力があると、枠消し、倍率調整、濃度調整等の新たな設定に基づいて画像データの再読み込みを行う。この場合、当該再読み込み前の元の画像データを、当該再読み込み後の新たな画像データに更新すると共に、当該再読み込み後の新たな画像データのプリント順序を、当該再読み込み前の元の画像データに割り当てられたプリント順序とする。
【００４９】
従って、表示手段１１２に表示されるサムネイルを参照することにより、プリント出力前に、読み込んだ複数の画像データの内容を確認できると共に、修正が必要な画像データがある場合には新たな設定に基づいて画像データが再読み込みできるので容易且つ迅速に画像データの修正が行えて便利である。
また、修正の際に画像データが再読み込みされても、プリント順序は再読み込み前のプリント順序がそのまま保持されて用いられるので、プリント後にプリント結果（プリントされた画像）を並べ直す必要がなく便利である。
【００５０】
なお、本実施の形態における記述は、本発明に係る画像形成装置及び画像形成システムの一例を示すものであり、これに限定されるものではない。本実施の形態における画像形成装置１０及び画像形成システム１００の細部構成および詳細動作に関しては、本発明の趣旨を逸脱しない範囲で適宜変更可能である。
【００５１】
例えば、画像形成装置１０にはＬＡＮ１を介して端末ＰＣ２０が接続されているものとして説明したが、これに限らず、画像形成装置１０は特にＬＡＮ１に接続されていなくても良い。
【００５２】
【発明の効果】
本発明によれば、ユーザは、表示手段に表示されるサムネイルを参照することにより、画像形成前に、読み込んだ複数の画像の内容を確認できると共に、修正が必要な画像がある場合には新たな設定に基づいて画像を再読み込みできるので、容易且つ迅速に画像の修正が行えて便利である。
また、修正の際に画像が再読み込みされても、再読み込み前の画像形成順序がそのまま保持されて用いられるので、画像形成後に
画像の順序を改めて変える必要がなく便利である。
また、画像形成装置にネットワーク接続された端末ＰＣを用いてサムネイルの表示と再読み込みの指示とが行えるので便利である。例えば、端末ＰＣの端末表示手段の表示画面が画像形成装置の表示手段の表示画面に比べて大きい場合、サムネイルを高解像度で表示できたり、また、サムネイルではなく、元の画像を高解像度で表示できるので、画像内容が詳細に確認できるので、再読み込みが必要な画像か否かがより正確に判定可能となる。
すなわち、画像形成される複数の画像から再読込みが必要な画像が容易に割り出せて、画像形成の順序を変更することなく画像形成前に当該割り出した画像の再読込みが容易且つ迅速に行える。
【図面の簡単な説明】
【図１】本発明を適用した画像形成システムの構成を示すブロック図である。
【図２】図１に示す画像形成装置により行われる画像形成処理を説明するフローチャートである。
【図３】図１に示す表示手段に表示される操作画面の一例を示す図である。
【符号の説明】
１  ＬＡＮ
１０  画像形成装置
１１  操作部
１２  スキャナー部
１２ａ  画像読込手段
１３  プリンタ部
１４  画像データ制御部
１５  画像データ処理部
２０  端末ＰＣ
２０ａ  端末表示手段
２０ｂ  端末制御手段
１００  画像形成システム
１１１  入力手段
１１２  表示手段
１１２０  表示例
１１２ａ  コピー設定ボタン
１１２ｂ  予約ＪＯＢボタン
１１２ｃ  機器状態確認ボタン
１１２ｄ  出力確認ボタン
１１２ｅ  メッセージ欄
１１２ｆ  サムネイル表示画面
１１２ｇ  サムネイル表示切替ボタン
１１２ｈ  修正指示ボタン
１１２ｉ  出力指示ボタン
１４１  制御手段
１４２  不揮発メモリ
１４３  画像格納メモリ
１４４  画像信号入力処理部
１４５  画像データ出力処理部
【図１】
2005026849.tif 000003
【図２】
2005026849.tif 000004
【図３】
2005026849.tif 000005